(57)【要約】【課題】パルス液体ジェットの強さを、ユーザーの意図に沿った設定とすることを可能とし、使い勝手を向上させること。【解決手段】液体噴射制御装置１において、操作部７１は、圧電素子４５に印加する駆動電圧波形の立ち上がり周波数、電圧振幅等を可変に操作するための調整レバー７１３を含む。また、制御部７５において、立ち上がり周波数設定部７５２は、液体噴射装置から噴射されるパルス液体ジェットに係る運動量に関する変化量であって、駆動電圧波形の電圧振幅を所定値とした状態における立ち上がり周波数調整レバー７１３の単位操作量当たりの変化量が一定となるように、立ち上がり周波数調整レバー７１３への操作入力に応じて立ち上がり周波数を設定する。【選択図】図１１
2016016284.tif 000002
【特許請求の範囲】
【請求項１】
圧電素子を用いて液体をパルス状に噴射する液体噴射装置を制御する液体噴射制御装置であって、
前記圧電素子に印加する駆動電圧波形の振幅、及び当該駆動電圧波形の立ち上がりに係る指標値（以下「立ち上がり指標値」という）のうちの一方を可変に操作するための操作部と、
前記液体噴射装置から噴射されるパルス液体ジェットに係る運動量又は運動エネルギーに関する変化量であって、前記駆動電圧波形の振幅及び立ち上がり指標値のうちの他方を所定値とした状態における前記操作部の単位操作量当たりの変化量が一定となるように、前記操作部への操作入力に応じて前記一方の値を設定する制御を行う制御部と、
を備えた液体噴射制御装置。
【請求項２】
請求項１において、
前記パルス液体ジェットに係る運動量又は運動エネルギーの現在値を表示させる制御を行う表示制御部、
を更に備えた液体噴射制御装置。
【請求項３】
請求項１又は２において、
前記単位操作量当たりの変化量を一定とさせる前記圧電素子に印加する駆動電圧波形の振幅及び前記立ち上がり指標値の対応関係が、前記液体噴射装置の種類毎に定められており、
前記制御部は、前記液体噴射装置の種類に応じた前記対応関係に基づいて制御する、
液体噴射制御装置。
【請求項４】
請求項１〜３の何れか一項において、
前記パルス液体ジェットの運動量が０．１ｍＮｓ（ミリニュートン秒）以下または運動エネルギーが１００ｍＪ（ミリジュール）以下の前記液体噴射装置を制御する、
液体噴射制御装置。
【請求項５】
請求項１〜４の何れか一項において、
前記パルス液体ジェットによって生体組織を切削するための前記液体噴射装置を制御する、
液体噴射制御装置。
【請求項６】
請求項１〜５の何れか一項において、
前記立ち上がり指標値は、前記駆動電圧波形の立ち上がりに係る時間、又は周波数によって表される、
液体噴射制御装置。
【請求項７】
請求項１〜６の何れか一項に記載の液体噴射制御装置と、液体噴射装置と、送液ポンプ装置とを具備した液体噴射システム。
【請求項８】
圧電素子を用いて液体をパルス状に噴射する液体噴射装置の制御方法であって、
前記圧電素子に印加する駆動電圧波形の振幅及び当該駆動電圧波形の立ち上がり指標値のうちの一方を可変に操作するための操作部に対する操作入力を検出することと、
前記液体噴射装置から噴射されるパルス液体ジェットに係る運動量又は運動エネルギーに関する変化量であって、前記駆動電圧波形の振幅及び立ち上がり指標値のうちの他方を所定値とした状態における前記操作部の単位操作量当たりの変化量が一定となるように、前記操作部への操作入力に応じて前記一方の値を設定することと、
を含む制御方法。
【発明の詳細な説明】
【技術分野】
【０００１】
本発明は、圧電素子を用いて液体をパルス状に噴射する液体噴射装置を制御する液体噴射制御装置等に関する。
【背景技術】
【０００２】
液体をパルス状に噴射して切削対象物を切削する技術が知られている。パルス状の液体の噴射は、ノズルから周期的又は非周期的に噴射される液体の脈動的なジェット流であり、本明細書では適宜「パルス液体ジェット（Pulsed Liquid Jet）」と称する。
【０００３】
パルス液体ジェットの用途は様々であるが、例えば、特許文献１には、医療分野における外科手術用として利用する技術が提案されている。この場合には、切削対象物は、生体組織となり、液体は生理食塩水となる。
【先行技術文献】
【特許文献】
【０００４】
【特許文献１】特開２００５−１５２１２７号公報
【発明の概要】
【発明が解決しようとする課題】
【０００５】
パルス液体ジェットを生成する機構の１つに、圧電素子を用いた機構が知られている。パルス波状の駆動電圧を圧電素子に加えることで、圧電素子が瞬間的な圧力を発生させて液体をパルス状に噴射する機構である。そのため、パルス液体ジェットの強さを変更する場合には、圧電素子に印加する駆動電圧を制御することとなる。
【０００６】
そこで、圧電素子に印加する駆動電圧の特性値、例えば、駆動電圧波形の振幅（電圧振幅のことであり、駆動電圧の大きさとも言える）を、操作ダイヤルや操作ボタン等の操作部で指定することで、パルス液体ジェットの強さを可変する仕様が考えられる。
【０００７】
しかしながら、操作部で指定する駆動電圧の特性値を変化させても、切削対象物の切削深さや切削体積を、ユーザーが思うように変化させることができない場合があることが分かった。詳細は後述するが、例えば、ユーザーが電圧振幅を２倍や４倍、或いは１／２、１／４に変えたとしても、必ずしも切削深さや切削体積がその通りに変化するとは限らないことが分かった。パルス液体ジェットを外科手術用途で用いる場合には、術者の操作感覚通りの作用が得られず、問題となり得た。
【０００８】
本発明は上述した課題に鑑みて考案されたものであり、その目的とするところは、パルス液体ジェットの強さを、ユーザーの意図に沿った設定とすることを可能とし、使い勝手を向上させる技術を提案することである。
【課題を解決するための手段】
【０００９】
以上の課題を解決するための第１の発明は、圧電素子を用いて液体をパルス状に噴射する液体噴射装置を制御する液体噴射制御装置であって、前記圧電素子に印加する駆動電圧波形の振幅、及び当該駆動電圧波形の立ち上がりに係る指標値（以下「立ち上がり指標値」という）のうちの一方を可変に操作するための操作部と、前記液体噴射装置から噴射されるパルス液体ジェットに係る運動量又は運動エネルギーに関する変化量であって、前記駆動電圧波形の振幅及び立ち上がり指標値のうちの他方を所定値とした状態における前記操作部の単位操作量当たりの変化量が一定となるように、前記操作部への操作入力に応じて前記一方の値を設定する制御を行う制御部と、を備えた液体噴射制御装置である。
【００１０】
また、他の発明として、圧電素子を用いて液体をパルス状に噴射する液体噴射装置の制御方法であって、前記圧電素子に印加する駆動電圧波形の振幅及び当該駆動電圧波形の立ち上がり指標値のうちの一方を可変に操作するための操作部に対する操作入力を検出することと、前記液体噴射装置から噴射されるパルス液体ジェットに係る運動量又は運動エネルギーに関する変化量であって、前記駆動電圧波形の振幅及び立ち上がり指標値のうちの他方を所定値とした状態における前記操作部の単位操作量当たりの変化量が一定となるように、前記操作部への操作入力に応じて前記一方の値を設定することと、を含む制御方法を構成することとしてもよい。
【００１１】
この第１の発明等によれば、圧電素子に印加する駆動電圧波形の振幅、及び当該駆動電圧波形の立ち上がり指標値のうちの一方を可変に操作するための操作部がある。そして、パルス液体ジェットに係る運動量又は運動エネルギーに関する変化量であって、駆動電圧波形の振幅及び立ち上がり指標値のうちの他方を所定値とした状態における操作部の単位操作量当たりの変化量が一定となるように、操作部への操作入力に応じて一方の値が設定される。
【００１２】
後述するように、切削深さや切削体積は、パルス液体ジェットに係る運動量又は運動エネルギーと相関が高い。この運動量又は運動量エネルギーの変化量が、操作部の単位操作量当たりで一定となるため、ユーザーの意図や操作感覚に見合った切削深さや切削体積を実現することができ、使い勝手を向上させることができる。
【００１３】
また、第２の発明は、第１の発明において、前記パルス液体ジェットに係る運動量又は運動エネルギーの現在値を表示させる制御を行う表示制御部、を更に備えた液体噴射制御装置である。
【００１４】
この第２の発明によれば、パルス液体ジェットに係る運動量又は運動エネルギーの現在値を表示させることができる。このため、ユーザーは、希望するパルス液体ジェットの現在の強さを表す指標を視覚的に確認することができる。よって、使い勝手を更に向上させることができる。
【００１５】
また、第３の発明は、第１又は第２の発明において、前記単位操作量当たりの変化量を一定とさせる前記圧電素子に印加する駆動電圧波形の振幅及び前記立ち上がり指標値の対応関係が、前記液体噴射装置の種類毎に定められており、前記制御部は、前記液体噴射装置の種類に応じた前記対応関係に基づいて制御する、液体噴射制御装置である。
【００１６】
この第３の発明によれば、液体噴射装置の種類を変更した場合であっても、制御対象となっている液体噴射装置の種類に応じた適切な制御が実現される。
【００１７】
また、第４の発明は、第１〜第３の何れかの発明において、前記パルス液体ジェットの運動量が０．１ｍＮｓ（ミリニュートン病）以下又は運動エネルギーが１００ｍＪ（ミリジュール）以下の前記液体噴射装置を制御する、液体噴射制御装置である。
【００１８】
この第４の発明によれば、パルス液体ジェットの運動量が０．１ｍＮｓ以下又は運動エネルギーが１００ｍＪ以下であり、その範囲で液体噴射装置を制御することができる。よって、例えば、生体組織、食品、ゲル材料、ゴムやプラスチックなどの樹脂材料などの柔軟素材を切削するのに好適である。
【００１９】
また、第５の発明は、第１〜第４の何れかの発明において、前記パルス液体ジェットによって生体組織を切削するための前記液体噴射装置を制御する、液体噴射制御装置である。
【００２０】
この第５の発明によれば、例えば、外科手術用途に好適なパルス液体ジェットの強さを制御することができる。
【００２１】
また、第６の発明は、第１〜第５の何れかの発明において、前記立ち上がり指標値は、前記駆動電圧波形の立ち上がりに係る時間、又は周波数によって表される、液体噴射制御装置である。
【００２２】
この第６の発明によれば、立ち上がり指標値を、電圧の立ち上がりに係る時間、又は周波数によって表すことができる。
【００２３】
また、第７の発明は、第１〜第６の何れかの発明の液体噴射制御装置と、液体噴射装置と、送液ポンプ装置とを具備した液体噴射システムである。
【００２４】
この第７の発明によれば、第１〜第６の発明の作用効果を奏する液体噴射システムを実現することができる。
【図面の簡単な説明】
【００２５】
【図１】液体噴射システムの全体構成例を示す図。
【図２】液体噴射装置の内部構造を示す図。
【図３】圧電素子の１周期分の駆動電圧波形及び液体噴射開口部における液体の流速波形を示す図。
【図４】質量流束Ｊｍ、運動量流束Ｊｐ、及びエネルギー流束Ｊｅを示す図。
【図５】切削対象物の破壊状態についてのシミュレーションで用いた主ジェットの流速波形を示す図。
【図６】シミュレーション結果（切削深さ）を示す図。
【図７】シミュレーション結果（切削体積）を示す図。
【図８】主ジェットの流速波形についてのシミュレーション結果を示す図。
【図９】運動量Ｐと、立ち上がり周波数及び電圧振幅との対応関係を示す図。
【図１０】エネルギーＥと、立ち上がり周波数及び電圧振幅との対応関係を示す図。
【図１１】実施例１における液体噴射制御装置の機能構成例を示すブロック図。
【図１２】実施例１における運動量対応テーブルのデータ構成例を示す図。
【図１３】パルス液体ジェットの噴射に際して制御部が行う処理の流れを示すフローチャート。
【図１４】表示部の表示画面例を示す図。
【図１５】実施例２における液体噴射制御装置の機能構成例を示すブロック図。
【図１６】実施例２における運動量対応テーブルのデータ構成例を示す図。
【図１７】実施例３における液体噴射制御装置の機能構成例を示すブロック図。
【図１８】実施例３におけるエネルギー対応テーブルのデータ構成例を示す図。
【図１９】実施例４における液体噴射制御装置の機能構成例を示すブロック図。
【図２０】実施例４におけるエネルギー対応テーブルのデータ構成例を示す図。
【発明を実施するための形態】
【００２６】
以下、本発明の液体噴射制御装置及び制御方法を実施するための一形態について説明する。なお、以下説明する実施形態によって本発明が限定されるものではなく、本発明を適用可能な形態が以下の実施形態に限定されるものでもない。また、図面の記載において、同一部分には同一の符号を付す。
【００２７】
［全体構成］
図１は、本実施形態における液体噴射システム１の全体構成例を示す図である。この液体噴射システム１は、柔軟素材、例えば生体組織を切削対象物とした外科手術用、食品を切削対象物とした食品加工用、ゲル材料の加工用、又はゴムやプラスチックなど樹脂材料の切削加工の用途で用いられるものであり、運動量が０．１ｍＮＳ（ミリニュートン秒）以下、又は、運動エネルギーが１００ｍＪ（ミリジュール）以下のパルス液体ジェットを噴射して切削対象物を切削する。以下では、液体噴射システム１を外科手術用の用途で用い、患部（生体組織）の切開、切除、又は破砕（以下包括して「切削」という）を行う場合を例示する。
【００２８】
図１に示すように、液体噴射システム１は、液体を収容する容器１０と、送液ポンプ２０と、切削対象物（本実施形態では生体組織）に向けて液体をパルス状に噴射するための液体噴射装置３０と、液体噴射制御装置７０とを備える。
【００２９】
この液体噴射システム１において、液体噴射制御装置７０は、術者が手術の際に操作する操作パネル８０を備える。操作パネル８０には、電源のＯＮ／ＯＦＦを切り替えるためのボタンスイッチ８１１と、「１」〜「５」の目盛りが付された５段階のレバー位置を選択可能なレバースイッチ８１３と、繰り返し周波数を入力するために「１」〜「５」の目盛りが付された５段階のレバー位置を選択可能な繰り返し周波数設定用のレバースイッチ８１４と、液晶モニター８２とが配設されている。また、液体噴射制御装置７０は、術者が足で踏んでパルス液体ジェットの噴射開始及び噴射停止を切り替えるためのペダルスイッチ８３を備える。
【００３０】
容器１０は、水や生理食塩水、薬液等の液体を収容する。送液ポンプ２０は、容器１０に収容された液体を、接続チューブ９１，９３を介して常時所定の圧力又は所定の流量で液体噴射装置３０のパルス流発生部４０に供給する。
【００３１】
液体噴射装置３０は、手術に際して術者が手に持って操作する部分（ハンドピース）であり、送液ポンプ２０から供給される液体に脈動を付与してパルス流を発生させるパルス流発生部４０と、パイプ状の噴射管５０とを備え、パルス流発生部４０によって発生させたパルス流を、噴射管５０を通り最終的にノズル６０に設けられた液体噴射開口部６１からパルス液体ジェットとして噴射する装置である。
【００３２】
ここでパルス流とは、液体の流速や圧力が時間的又は空間的に周期的又は非周期的に大きく且つ急激に変化する液体の脈動的な流れを意味する。同様に、液体をパルス状に噴射するとは、ノズルを通過する液体の流速が、周期的又は非周期的に大きく変化する、液体の脈動的な噴射を意味する。本実施形態では、定常流に周期的な脈動を付与することで生じるパルス液体ジェットを噴射する場合を例示するが、液体の噴射と非噴射とを周期的又は非周期的に繰り返す断続的なパルス液体ジェットの噴射にも本発明は同様に適用できる。
【００３３】
図２は、液体噴射装置３０を液体の噴射方向に沿って切断した切断面を示す図である。なお、図２に示す部材や部分の縦横の縮尺は、図示の便宜上実際のものとは異なる。図２に示すように、パルス流発生部４０は、第１ケース４１と、第２ケース４２と、第３ケース４３とによって形成された円筒状の内部空間に、圧力室４４の容積を変化させるための圧電素子４５及びダイアフラム４６が配設されて構成される。各ケース４１，４２，４３は、互いに対向する面において接合され一体化されている。
【００３４】
ダイアフラム４６は、円盤状の金属薄板であり、その外周部分が第１ケース４１と第２ケース４２との間に挟まれて固定されている。圧電素子４５は、例えば積層型圧電素子であり、ダイアフラム４６と第３ケース４３との間で一端がダイアフラム４６に固定され、他端が第３ケースに固定されている。
【００３５】
圧力室４４は、ダイアフラム４６と、第１ケース４１のダイアフラム４６に対向する面に形成された凹部４１１とによって囲まれた空間である。第１ケース４１には、圧力室４４に各々連通する入口流路４１３と出口流路４１５とが形成されている。出口流路４１５の内径は、入口流路４１３の内径よりも大きく形成されている。入口流路４１３は接続チューブ９３と接続され、送液ポンプ２０から供給される液体を圧力室４４に導入する。出口流路４１５には噴射管５０の一端が接続され、圧力室４４内を流動する液体を噴射管５０に導入する。噴射管５０の他端（先端）には、噴射管５０の内径よりも縮小された内径の液体噴射開口部６１を有するノズル６０が挿着されている。
【００３６】
以上のように構成される液体噴射システム１において、容器１０に収容された液体は、液体噴射制御装置７０の制御のもと送液ポンプ２０によって、所定の圧力又は所定の流量で接続チューブ９３を介してパルス流発生部４０に供給される。一方で、液体噴射制御装置７０の制御のもと圧電素子４５に駆動信号が印加されると、圧電素子４５が伸長・収縮する（図２の矢印Ａ）。圧電素子４５に印加される駆動信号は所定の繰り返し周波数（例えば数十〜数百Ｈｚ）で繰り返し印加されるため、周期毎に圧電素子４５の伸長と収縮が繰り返されることとなる。これにより圧力室４４内を流動する定常流の液体に脈動が付与され、液体噴射開口部６１からパルス液体ジェットが繰り返し噴射される。
【００３７】
図３（ａ）は、圧電素子４５に印加される１周期分の駆動信号の駆動電圧波形Ｌ１１の一例を示す図であり、液体噴射開口部６１における液体の流速波形Ｌ１３を併せて示している。Ｔｐは繰り返し周期（駆動電圧波形の１周期分の時間）であり、その逆数が前記の繰り返し周波数である。
また、図３（ｂ）は、図３（ａ）に示す流速波形Ｌ１３のピークのうち、最大流速を有する主ピーク部分を抜き出した図である。なお、繰り返し周期Ｔｐは１［ｍｓ（ミリ秒）］〜１００［ｍｓ］程度とされ、駆動電圧波形が最大電圧まで立ち上がるのに要する時間（立ち上がり時間）Ｔｐｒは１０［μｓ（マイクロ秒）］〜１０００［μｓ］程度とされる。
繰り返し周期Ｔｐは、立ち上がり時間Ｔｐｒよりも長い時間として設定される。また、立ち上がり時間の２倍の逆数を立ち上がり周波数としたとき、前記の繰り返し周波数は、立ち上がり周波数の２倍よりも低い周波数として設定される。
【００３８】
例えば、圧電素子４５は、正の電圧が印加されると伸長するものとすると、立ち上がり時間Ｔｐｒで急激に伸長し、ダイアフラム４６が圧電素子４５に押されて圧力室４４側に撓む。ダイアフラム４６が圧力室４４側へと撓むと圧力室４４の容積が小さくなり、圧力室４４内の液体は圧力室４４から押し出される。ここで、出口流路４１５の内径は入口流路４１３の内径よりも大きいため、出口流路４１５の流体イナータンスおよび流体抵抗は、入口流路４１３の流体抵抗よりも小さい。したがって、圧電素子４５が急激に伸長することで圧力室４４から押し出される液体の大部分は出口流路４１５を通って噴射管５０に導入され、その内径よりも小径の液体噴射開口部６１によりパルス状の液滴、すなわちパルス液体ジェットとなって高速噴射される。
【００３９】
最大電圧まで上昇した後は、駆動電圧は緩やかに降下する。その際、圧電素子４５は、立ち上がり時間Ｔｐｒよりも長い時間をかけて収縮し、ダイアフラム４６が圧電素子４５に引かれて第３ケース４３側に撓む。ダイアフラム４６が第３ケース４３側に撓むと圧力室４４の容積が大きくなり、入口流路４１３から圧力室４４内に液体が導入される。
【００４０】
なお、送液ポンプ２０は所定圧力又は所定流量で液体をパルス流発生部４０に供給しているため、圧電素子４５が伸縮動作を行わなければ、圧力室４４を流動する液体（定常流）は出口流路４１５を経て噴射管５０に導入され、液体噴射開口部６１から噴射される。この噴射は定速かつ低速の液流であるため、定常流と言える。
【００４１】
［原理］
パルス液体ジェットを特徴付ける値として基本となるのは、図３（ａ）において駆動電圧波形Ｌ１１と併せて示したパルス１個分のジェットの液体噴射開口部６１における流速波形Ｌ１３である。そのうち、注目すべきなのは、駆動電圧の立ち上がり直後に発生する最も高いピークの流速波形（先頭波のジェット）である。この波形の拡大図を図３（ｂ）に示す。その他の低いピークは、圧電素子４５の伸長時に圧力室４４内に生じた圧力変動の波が噴射管５０内を反射往復することで付随的に噴射されるジェットに起因するものであるが、切削対象物の破壊状態すなわち切削対象物の切削深さや切削体積を決定付けるのは、流速が最も大きい先頭波のジェット（主ジェット）である。
【００４２】
ところで、パルス液体ジェットの強さを変えて切削対象物の切削深さや切削体積を変化させたい場合には、圧電素子４５の駆動電圧波形を制御することになる。この駆動電圧波形の制御は、その電圧特性値である駆動電圧波形の立ち上がり周波数や駆動電圧波形の振幅（電圧振幅）を術者が指定することによって行う方法が考えられる。ここでいう立ち上がり周波数は、駆動電圧の立ち上がりに係る立ち上がり指標値の１つであり、立ち上がり時間Ｔｐｒを２倍した値の逆数と定義する。例えば、電圧振幅を固定にした状態で術者が立ち上がり周波数を指定したり、立ち上がり周波数を固定にした状態で電圧振幅を指定する方法が考えられる。これは、電圧振幅やその立ち上がり周波数（立ち上がり時間Ｔｐｒ）が主ジェットの流速波形に大きく影響するためである。駆動電圧が最大電圧まで上昇した後の緩やかに降下している間の駆動電圧は、主ジェットの流速波形にさほど影響しない。例えば、立ち上がり周波数を高くし、或いは電圧振幅を大きくすれば、それに比例するように切削深さは深く、切削体積は大きくなると思われた。
【００４３】
しかしながら、実際に達成される切削対象物の切削深さや切削体積は、必ずしも電圧特性値の増減に見合って変化しない場合があり、使い勝手を悪化させる場合があることが判明した。例えば、術者が電圧振幅を２倍にしても切削深さや切削体積が期待通りに増加しなかったり、或いは電圧振幅を１／２にしても切削深さや切削体積が思ったように減少しなかったりする場合が起こり得た。そのため、術者が所望する切削深さや切削体積が達成されない事態が生じ得た。これは手術時間の長期化を招きかねない問題である。
【００４４】
そこで、主ジェットの流速波形に着目し、この主ジェットの流速波形によって定まるいくつかのパラメータについて切削深さ及び切削体積との相関を検討した。切削深さや切削体積との相関が高いパラメータが見つかれば、術者の操作感覚通りの切削深さや切削体積を達成するのに最適な駆動電圧波形で圧電素子４５を制御することが可能となるからである。
【００４５】
そのために、先ず、液体噴射開口部６１における主ジェットの流速波形ｖ［ｍ／ｓ］に基づいて、液体噴射開口部６１を通過する主ジェットの質量流束［ｋｇ／ｓ］、運動量流束［Ｎ］、及びエネルギー流束［Ｗ］について検討した。質量流束は、液体噴射開口部６１を通過する液体の単位時間当たりの質量［ｋｇ／ｓ］である。運動量流束は、液体噴射開口部６１を通過する液体の単位時間当たりの運動量［Ｎ］である。エネルギー流束は、液体噴射開口部６１を通過する液体の単位時間当たりのエネルギー［Ｗ］である。なお、エネルギーとは運動エネルギーのことを指し、以下「エネルギー」と略称する。
【００４６】
液体噴射開口部６１では液体が自由空間に解放されるため、圧力を「０」とみなすことができる。また、液体のジェット噴射方向に直交する方向（液体噴射開口部６１の径方向）の速度についても「０」とみなすことができる。液体噴射開口部６１の径方向において液体の速度分布がないと仮定すると、液体噴射開口部６１を通過する質量流束Ｊｍ［ｋｇ／ｓ］、運動量流束Ｊｐ［Ｎ］、及びエネルギー流束Ｊｅ［Ｗ］は、次式（１），（２），（３）で求めることができる。Ｓ［ｍ２］はノズル断面積を表し、ρ［ｋｇ／ｍ３］は作動流体密度を表す。
Ｊｍ＝Ｓ・ρ・ｖ  ・・・（１）
Ｊｐ＝Ｓ・ρ・ｖ２  ・・・（２）
Ｊｅ＝１／２・ρ・Ｓ・ｖ３  ・・・（３）
【００４７】
図４は、図３（ｂ）に示した主ジェットの流速波形から求めた質量流束Ｊｍ（ａ）、運動量流束Ｊｐ（ｂ）、及びエネルギー流束Ｊｅ（ｃ）を示す図である。これら質量流束Ｊｍ、運動量流束Ｊｐ、及びエネルギー流束Ｊｅのそれぞれを主ジェットの流速波形の立ち上がりから立ち下がりまでの時間（継続時間）Ｔ内で積分すれば、主ジェットとして液体噴射開口部６１から噴射される液体の質量、運動量、及びエネルギーを求めることができる。
【００４８】
上記の要領で算出した質量流束Ｊｍ、運動量流束Ｊｐ、エネルギー流束Ｊｅ、質量、運動量、及びエネルギーの各値は、パルス１個分のジェットによる切削深さ及び切削体積を決定付け得ると考えられる。ただし、何れも定常流分を含んだ物理量であり、重要なのは、定常流の寄与分を差し引いた値である。
【００４９】
そこで、図４（ａ）の質量流束Ｊｍに関し、質量流束Ｊｍのピーク値（最大値）から定常流の質量流束Ｊｍ＿ＢＧ［ｋｇ／ｓ］を減算した最大質量流束Ｊｍ＿ｍａｘ［ｋｇ／ｓ］と、主ジェットとして液体噴射開口部６１から流出する液体の質量から定常流分を除いた図４（ａ）中にハッチングを付して示す流出質量Ｍ［ｋｇ］の２つのパラメータを定義する。流出質量Ｍは、次式（４）で表される。
【数１】
2016016284.tif 000003
【００５０】
図４（ｂ）の運動量流束Ｊｐに関しては、運動量流束Ｊｐのピーク値（最大値）から定常流の運動量流束Ｊｐ＿ＢＧ［Ｎ］を減算した最大運動量流束Ｊｐ＿ｍａｘ［Ｎ］と、主ジェットとして液体噴射開口部６１から流出する液体の運動量から定常流分を除いた図４（ｂ）中にハッチングを付して示す運動量Ｐ［Ｎｓ］の２つのパラメータを定義する。運動量Ｐは、次式（５）で表される。
【数２】
2016016284.tif 000004
【００５１】
図４（ｃ）のエネルギー流束Ｊｅに関しては、エネルギー流束Ｊｅのピーク値（最大値）から定常流のエネルギー流束Ｊｅ＿ＢＧ［Ｗ］を減算した最大エネルギー流束Ｊｅ＿ｍａｘ［Ｗ］と、主ジェットとして液体噴射開口部６１から流出する液体のエネルギーから定常流分を除いた図４（ｃ）中にハッチングを付して示すエネルギーＥ［Ｊ］の２つのパラメータを定義する。エネルギーＥは、次式（６）で表される。
【数３】
2016016284.tif 000005
ただし、式（４）〜（６）における積分区間は、各流速波形において主ジェットの立ち上がりから立ち下がりまでの時間（継続時間）Ｔである。
【００５２】
そして、数値シミュレーションを利用して、最大質量流束Ｊｍ＿ｍａｘ、流出質量Ｍ、最大運動量流束Ｊｐ＿ｍａｘ、運動量Ｐ、最大エネルギー流束Ｊｅ＿ｍａｘ、及びエネルギーＥの６つのパラメータが、それぞれ切削深さ及び切削体積とどの程度相関するのかを検討した。
【００５３】
ここで、パルス液体ジェットは流体であり、切削対象物は柔軟な弾性体である。したがって、パルス液体ジェットによる切削対象物の破壊挙動のシミュレーションを行うためには、柔軟弾性体側に適切な破壊閾値を設定した上で、いわゆる流体と構造体（ここでは柔軟弾性体）との連成解析（流体・構造連成解析（ＦＳＩ））を行わなければならない。シミュレーションの計算手法としては、例えば、有限要素法（ＦＥＭ：Finite Element Method）を用いた手法や、ＳＰＨ（Smoothed Particle Hydrodynamics）等に代表される粒子法を用いた手法、有限要素法と粒子法とを組み合わせた手法等が挙げられる。適用する手法は特に限定されるものではないため詳述しないが、解析結果の安定性や計算時間等を考慮して最適な手法を選択し、シミュレーションを行った。
【００５４】
シミュレーションに際し、液体噴射開口部６１の直径＝０．１５［ｍｍ］、スタンドオフ距離（液体噴射開口部６１から切削対象物表面までの距離）＝０．５［ｍｍ］に設定した。また、切削対象物を表面が平坦な柔軟弾性体と仮定し、その物理モデルとして、ヤング率換算で９［ｋＰａ］程度（せん断弾性率換算で３［ｋＰａ］程度）の弾性率を有するＭｏｏｎｅｙ−Ｒｉｖｌｉｎ超弾性体を用いた。破壊閾値には、偏差相当ひずみ＝０.７を使用した。
【００５５】
主ジェットの流速波形については、様々な主ジェットの流速波形を想定し、正弦波、三角波、及び矩形波の３種類の波形について、振幅（流束の最大値）を１２［ｍ／ｓ］〜７６［ｍ／ｓ］の範囲内、継続時間を６３［μｓ］〜２００［μｓ］の範囲内で３種類変更したものを、合計２７種類用意した。なお、定常流の流速は１［ｍ／ｓ］としている。
【００５６】
図５は、シミュレーションで主ジェットの流速波形として与えた正弦波（ａ）、矩形波（ｂ）、及び三角波（ｃ）を示す図であり、それぞれ実線で示す継続時間が６３［μｓ］のものと、一点鎖線で示す継続時間が１２５［μｓ］のものと、二点鎖線で示す継続時間が２００［μｓ］のものとを用意した。そして、用意した波形を主ジェットの流速波形として与えてパルス液体ジェットを生成し、上記の柔軟弾性体に撃ち込んだときの柔軟弾性体の破壊挙動についてシミュレーションを行った。
【００５７】
図６は、縦軸を切削対象物の切削深さとし、横軸を最大質量流束Ｊｍ＿ｍａｘ（ａ）、流出質量Ｍ（ｂ）、最大運動量流束Ｊｐ＿ｍａｘ（ｃ）、運動量Ｐ（ｄ）、最大エネルギー流束Ｊｅ＿ｍａｘ（ｅ）、及びエネルギーＥ（ｆ）としたシミュレーションの結果をプロットした図である。図６中、主ジェットの流速波形として継続時間が６３［μｓ］の正弦波を与えたときのシミュレーション結果を「＊」のプロット、１２５［μｓ］の正弦波を与えたときのシミュレーション結果を「◆」のプロット、２００［μｓ］の正弦波を与えたときのシミュレーション結果を「-」のプロットで示している。また、主ジェットの流速波形として継続時間が６３［μｓ］の三角波を与えたときのシミュレーション結果を「＋」のプロット、１２５［μｓ］の三角波を与えたときのシミュレーション結果を「×」のプロット、２００［μｓ］の三角波を与えたときのシミュレーション結果を「■」のプロットで示している。また、主ジェットの流速波形として継続時間が６３［μｓ］の矩形波を与えたときのシミュレーション結果を「●」のプロット、１２５［μｓ］の矩形波を与えたときのシミュレーション結果を黒色塗りつぶしの三角形のプロット、２００［μｓ］の矩形波を与えたときのシミュレーション結果を「−」のプロットで示している。
【００５８】
上段の図６（ａ），（ｃ），（ｅ）に示すように、最大質量流束Ｊｍ＿ｍａｘ、最大運動量流束Ｊｐ＿ｍａｘ、及び最大エネルギー流束Ｊｅ＿ｍａｘの３つの各パラメータと切削深さとの関係は、主ジェットの流速波形として与えた波形の形状によって大きくばらついており、双方の相関は低いことがわかった。とりわけ質量流束は、流速に比例する値であることから、切削深さは主ジェットの最大流速のみからは決まらないことを示唆している。
【００５９】
次に、下段の図６（ｂ），（ｄ），（ｆ）に示す流出質量Ｍ、運動量Ｐ、及びエネルギーＥの３つの各パラメータと切削深さとの関係をみてみると、流出質量Ｍと切削深さとの関係については、主ジェットの流速波形として与えた波形の形状によって大きくばらついており、相関が低い。これに対し、運動量ＰやエネルギーＥとの関係では、与えた波形の形状によるばらつきは小さく、各プロットが概ね同一曲線上に分布している。運動量ＰとエネルギーＥとでは、運動量Ｐの方がよりばらつきが小さい。したがって、切削深さは運動量ＰやエネルギーＥと相関が高く、特に運動量Ｐと良く相関するといえる。
【００６０】
なお、ここでは液体噴射開口部の直径を０．１５［ｍｍ］、スタンドオフ距離を０．５［ｍｍ］とした場合についてシミュレーションを行っているが、他の液体噴射開口部直径や他のスタンドオフ距離においてもシミュレーションを行い、切削深さが運動量ＰやエネルギーＥと相関が高い、という定性的な傾向は大きく変わらなかったことを確認した。
【００６１】
図７は、縦軸を切削対象物の切削体積とし、横軸を最大質量流束Ｊｍ＿ｍａｘ（ａ）、流出質量Ｍ（ｂ）、最大運動量流束Ｊｐ＿ｍａｘ（ｃ）、運動量Ｐ（ｄ）、最大エネルギー流束Ｊｅ＿ｍａｘ（ｅ）、及びエネルギーＥ（ｆ）としてシミュレーションの結果をプロットした図である。主ジェットの流速波形として与えた波形とプロットの種類との関係は図６と同様である。
【００６２】
上段の図７（ａ），（ｃ），（ｅ）に示すように、最大質量流束Ｊｍ＿ｍａｘ、最大運動量流束Ｊｐ＿ｍａｘ、及び最大エネルギー流束Ｊｅ＿ｍａｘの３つの各パラメータと切削体積との関係は、切削深さとの関係ほどではないものの、主ジェットの流速波形として与えた波形の形状によってばらついており、双方の相関は低いと考えられる。
【００６３】
次に、下段の図７（ｂ），（ｄ），（ｆ）に示す流出質量Ｍ、運動量Ｐ、及びエネルギーＥの３つの各パラメータと切削体積との関係をみてみると、流出質量Ｍと切削体積との関係については、切削深さと同様に主ジェットの流速波形として与えた波形の形状によって大きくばらついており、相関が低い。一方、運動量ＰやエネルギーＥとの関係では、切削深さと同様に与えた波形の形状によるばらつきは小さく、各プロットが概ね同一直線上に分布している。また、運動量Ｐと比べてエネルギーＥの方がよりばらつきが小さい。したがって、切削体積は運動量ＰやエネルギーＥと相関が高く、特にエネルギーＥと良く相関するといえる。
【００６４】
なお、ここでは液体噴射開口部の直径を０．１５［ｍｍ］、スタンドオフ距離を０．５［ｍｍ］とした場合についてシミュレーションを行っているが、他の液体噴射開口部直径や他のスタンドオフ距離においてもシミュレーションを行い、切削体積が運動量ＰやエネルギーＥと相関が高い、という定性的な傾向は大きく変わらなかったことを確認した。
【００６５】
以上の検討結果に基づき、本実施形態では、実際に圧電素子４５に印加する駆動電圧波形として代表的なものについて事前にシミュレーションを行い、運動量ＰおよびエネルギーＥと、立ち上がり周波数及び電圧振幅との対応関係を取得しておく。そして、手術中は、術者による運動量Ｐ又はエネルギーＥの増減操作に応じて対応する立ち上がり周波数及び電圧振幅を特定し、圧電素子４５の駆動を制御する。
【００６６】
先ず、電圧振幅を固定し、立ち上がり周波数を段階的に変えた駆動電圧波形を与えて主ジェットの流速波形をシミュレーションにより求めた。同様に、立ち上がり周波数を固定し、電圧振幅を段階的に変えた駆動電圧波形を与えて主ジェットの流速波形をシミュレーションにより求めた。シミュレーションは、例えば、液体噴射装置の流路系を、流体（流路）抵抗、流体イナータンス、流体コンプライアンスなどに置き換えたモデルに基づく、等価回路法による数値シミュレーションを利用して行うことができる。又は、有限要素法（ＦＥＭ）や有限体積法（ＦＶＭ）などを用いた流体シミュレーションを利用してもよい。
【００６７】
図８（ａ）は、立ち上がり周波数を変えた場合の主ジェットの流速波形のシミュレーション結果を示す図である。図８（ａ）に示すように、立ち上がり周波数を低く（立ち上がり時間Ｔｐｒでいえば長く）すると、主ジェットの流速波形は、立ち上がりのタイミングは変わらずに継続時間が長くなり、その振幅（流速の最大値）も小さくなる。また、図８（ｂ）は、電圧振幅を変えた場合の主ジェットの流速波形のシミュレーション結果を示す図である。図８（ｂ）に示すように、電圧振幅を小さくすると、主ジェットの流速波形は、立ち上がり周波数を小さくした場合と違い継続時間は維持したまま、波形振幅（流速の最大値）が小さくなる。
【００６８】
続いて、得られた主ジェットの流速波形のそれぞれについて運動量ＰとエネルギーＥとを求めた。図９は、得られた主ジェットの流速波形毎の運動量Ｐと、立ち上がり周波数及び電圧振幅との対応関係を示す図である。この図９は、縦軸を立ち上がり周波数とし、横軸を電圧振幅とする座標空間に得られた運動量Ｐをプロットし、運動量Ｐに関する等高線を描くことにより得られる。各等高線は、図９の左下が低くなっており、右上に向かうほど、所定量ずつ大きくなっている。
【００６９】
また、図１０は、得られた主ジェットの流速波形毎のエネルギーＥと、立ち上がり周波数及び電圧振幅との対応関係を示す図である。エネルギーＥの場合も、図１０に示すように縦軸を立ち上がり周波数とし、横軸を電圧振幅とする座標空間に得られたエネルギーＥをプロットし、エネルギーＥに関する等高線を描くことにより得られる。各等高線は、図１０の左下が低くなっており、右上に向かうほど、所定量ずつ大きくなっている。
【００７０】
ここで、注目すべきなのは、運動量Ｐ及びエネルギーＥのいずれの場合も、等高線の間隔が等間隔ではなく、しかも座標軸方向では運動量ＰもエネルギーＥも線形変化しないことである。例えば、図９に示す運動量Ｐと立ち上がり周波数及び電圧振幅との対応関係に着目し、電圧振幅を固定（例えばＶ５）とし立ち上がり周波数を可変として圧電素子４５の駆動電圧波形を制御する場合を考える。運動量Ｐの変化量を一定にしようとする場合、運動量Ｐ１２〜Ｐ１３間は立ち上がり周波数ｆ１１〜ｆ１２間の周波数変化が必要となり、運動量Ｐ１３〜Ｐ１４間は立ち上がり周波数ｆ１２〜ｆ１３間の周波数変化が必要となる。しかし、立ち上がり周波数ｆ１１〜ｆ１２間の周波数間隔と、立ち上がり周波数ｆ１２〜ｆ１３間の周波数間隔とは異なる。この現象は運動量Ｐが大きくなるに従って顕著に表れる。したがって、電圧振幅を固定とし、立ち上がり周波数を一定量ずつ変化させる操作をする場合に、運動量Ｐが思ったように変化しないため、切削深さや切削体積が術者の意図通り・感覚通りに変化しないといった事態が起こり得るといえる。立ち上がり周波数を固定とし、電圧振幅を一定量ずつ変化させる操作をする場合にも同様のことがいえる。また、エネルギーＥについても同様である。
【００７１】
そこで、本実施形態では、従来の仕様と同様に、手術中に術者が行う操作を、レバースイッチ８１３を用いた立ち上がり周波数又は電圧振幅の増減操作とする。すなわち、電圧振幅を固定の状態として術者が立ち上がり周波数の増減操作を行ったり、または、立ち上がり周波数を固定の状態として術者が電圧振幅の増減操作を行うこととする。しかしその上で、レバースイッチ８１３を１目盛り動かしたとき、運動量Ｐ又はエネルギーＥの変化量が一定となるような制御を行うこととする。具体的には、各レバー位置に立ち上がり周波数の指示値（立ち上がり周波数指示値）又は電圧振幅の指示値（電圧振幅指示値）を割り当てておく。併せて、運動量Ｐ又はエネルギーＥと、立ち上がり周波数及び電圧振幅との対応関係をデータテーブル化しておく。
【００７２】
詳細に説明する。
先ず、（１）運動量Ｐを対象とし、レバースイッチ８１３により立ち上がり周波数の増減操作を行う場合を考える。例えば、電圧振幅を図９に示すＶ１で固定とする場合を例に挙げれば、レバースイッチ８１３のレバー位置に、電圧振幅Ｖ１と各等高線との交点となる立ち上がり周波数を周波数指示値としてｆ１１，ｆ１２，ｆ１３，・・・を割り当てておく。また、立ち上がり周波数指示値と、固定とした電圧振幅の組合せ毎に、該当する運動量Ｐを対応付けたデータテーブルを作成しておく。立ち上がり周波数指示値ｆ１１と電圧振幅Ｖ１の組合せに対しては運動量Ｐ１２、立ち上がり周波数指示値ｆ１２と電圧振幅Ｖ１の組合せに対しては運動量Ｐ１３といった具合いである。このようにすれば、レバー位置を１目盛り動かしたときの運動量Ｐの変化量を一定にすることができる。
【００７３】
次に、（２）運動量Ｐを対象とし、レバースイッチ８１３により電圧振幅の増減操作を行う場合を考える。例えば、立ち上がり周波数を図９に示すｆ２で固定とする場合を例に挙げれば、レバースイッチ８１３のレバー位置に、立ち上がり周波数ｆ２と各等高線との交点となる電圧振幅を振幅指示値としてＶ２１，Ｖ２２，Ｖ２３，・・・を割り当てておく。また、電圧振幅指示値と、固定とした立ち上がり周波数の組合せ毎に、該当する運動量Ｐを対応付けたデータテーブルを作成しておく。電圧振幅指示値Ｖ２１と立ち上がり周波数ｆ２の組合せに対しては運動量Ｐ１１、電圧振幅指示値Ｖ２２と立ち上がり周波数ｆ２の組合せに対しては運動量Ｐ１２といった具合いである。この場合も、レバー位置を１目盛り動かしたときの運動量Ｐの変化量を一定にすることができる。
【００７４】
次に、（３）エネルギーＥを対象とし、レバースイッチ８１３により立ち上がり周波数の増減操作を行う場合を考える。例えば、電圧振幅を図１０に示すＶ３で固定とする場合を例に挙げれば、レバースイッチ８１３のレバー位置に、電圧振幅Ｖ３と各等高線との交点となる立ち上がり周波数を周波数指示値としてｆ３１，ｆ３２，ｆ３３，・・・を割り当てておく。また、立ち上がり周波数指示値と、固定とした電圧振幅の組合せ毎に、該当するエネルギーＥを対応付けたデータテーブルを作成しておく。立ち上がり周波数指示値ｆ３１と電圧振幅Ｖ３の組合せに対してはエネルギーＥ３３、立ち上がり周波数指示値ｆ３２と電圧振幅Ｖ３の組合せに対してはエネルギーＥ３４といった具合いである。このようにすれば、レバー位置を１目盛り動かしたときのエネルギーＥの変化量を一定にすることができる。
【００７５】
次に、（４）エネルギーＥを対象とし、レバースイッチ８１３により電圧振幅の増減操作を行う場合を考える。例えば、立ち上がり周波数を図１０に示すｆ４で固定とする場合を例に挙げれば、レバースイッチ８１３のレバー位置に、立ち上がり周波数ｆ４と各等高線との交点となる電圧振幅を振幅指示値としてＶ４１，Ｖ４２，Ｖ４３，・・・を割り当てておく。また、電圧振幅指示値と、固定とした立ち上がり周波数の組合せ毎に、該当するエネルギーＥを対応付けたデータテーブルを作成しておく。電圧振幅指示値Ｖ４１と立ち上がり周波数ｆ４の組合せに対してはエネルギーＥ３１、電圧振幅指示値Ｖ４２と立ち上がり周波数ｆ４の組合せに対してはエネルギーＥ３２といった具合いである。この場合も、レバー位置を１目盛り動かしたときのエネルギーＥの変化量を一定にすることができる。
【００７６】
以下、本実施形態の実施例として、（１）の場合を実施例１、（２）の場合を実施例２、（３）の場合を実施例３、（４）の場合を実施例４として順に説明する。
【００７７】
（実施例１）
先ず、実施例１について説明する。図１１は、実施例１における液体噴射制御装置の機能構成例を示すブロック図である。図１１に示すように、液体噴射制御装置７０−１は、操作部７１と、表示部７３と、制御部７５と、記憶部７７とを備える。
【００７８】
操作部７１は、ボタンスイッチやレバースイッチ、ダイヤルスイッチ、ペダルスイッチ等の各種スイッチ、タッチパネル、トラックパッド、マウス等の入力装置によって実現されるものであり、操作入力に応じた操作信号を制御部７５に出力する。この操作部７１は、図１のボタンスイッチ８１１によって実現される電源ボタン７１１と、図１のレバースイッチ８１３によって実現される立ち上がり周波数調整レバー７１３と、図１のレバースイッチ８１４によって実現される繰り返し周波数設定用レバー７１４と、図１のペダルスイッチ８３によって実現される噴射スイッチ７１５とを含む。
【００７９】
立ち上がり周波数調整レバー７１３は、立ち上がり周波数指示値を入力するためのものである。術者は、立ち上がり周波数調整レバー７１３すなわち図１のレバースイッチ８１３を操作し、「１」〜「５」の目盛りが付されたレバー位置を選択して立ち上がり周波数を５段階で増減操作する。実施例１では、各レバー位置の立ち上がり周波数指示値は、対応する目盛りの数値に比例して運動量Ｐが一定量ずつ大きくなるように割り当てられる。なお、レバー位置の段階数は５段階に限定されるものではなく、「大」「中」「小」の３段階調整とする等、適宜設定してよい。
【００８０】
繰り返し周波数設定用レバー７１４は、繰り返し周波数を設定するためのものである。術者は、図１のレバースイッチ８１４を操作し、「１」〜「５」の目盛が付されたレバー位置を選択することにより、圧電素子４５に繰り返し印加される駆動電圧の繰り返し周波数（例えば数十〜数百Ｈｚ）を５段階で増減操作する。各レバー位置には、目盛の数値に対応した繰り返し周波数が割り当てられている。なお、レバー位置の段階数は５段階に限定されるものではなく、段数は適宜設定してよい。
【００８１】
表示部７３は、ＬＣＤ（Liquid Crystal Display）やＥＬディスプレイ（Electroluminescence display）等の表示装置によって実現されるものであり、制御部７５から入力される表示信号をもとに設定画面等の各種画面を表示する。例えば、図１の液晶モニター８２がこれに該当する。
【００８２】
制御部７５は、ＣＰＵ（Central Processing Unit）やＤＳＰ（Digital Signal Processor）等のマイクロプロセッサー、ＡＳＩＣ（Application Specific Integrated Circuit）等の制御装置及び演算装置によって実現されるものであり、液体噴射システム１の各部を統括的に制御する。この制御部７５は、圧電素子制御部７５１と、ポンプ制御部７５６と、運動量表示制御部７５７とを備える。なお、制御部７５を構成する各部は、専用のモジュール回路等のハードウェアで構成することとしてもよい。
【００８３】
圧電素子制御部７５１は、立ち上がり周波数調整レバー７１３のレバー位置に従って立ち上がり周波数を設定する立ち上がり周波数設定部７５２と、電圧振幅を設定する電圧振幅設定部７５３と、繰り返し周波数設定用レバー７１４のレバー位置に従って繰り返し周波数を設定する繰り返し周波数設定部７５４とを備える。この圧電素子制御部７５１は、駆動電圧波形を生成し、生成した波形の駆動信号を圧電素子４５に印加するが、その際、立ち上がり周波数設定部７５２が設定した立ち上がり周波数と、電圧振幅設定部７５３が設定した電圧振幅とに従って駆動電圧波形を生成する。なお、実施例１では、電圧振幅設定部７５３が設定する電圧振幅は固定とされる。
【００８４】
ポンプ制御部７５６は、送液ポンプ２０に駆動信号を出力して送液ポンプ２０を駆動する。運動量表示制御部７５７は、選択中の立ち上がり周波数調整レバー７１３のレバー位置に割り当てられた周波数指示値（すなわち立ち上がり周波数の現在値）と、対応する運動量Ｐ（すなわち運動量Ｐの現在値）とを表示部７３に表示する制御を行う。
【００８５】
記憶部７７は、ＲＯＭ（Read Only Memory）やフラッシュＲＯＭ、ＲＡＭ（Random Access Memory）等の各種ＩＣ（Integrated Circuit）メモリーやハードディスク等の記憶媒体により実現されるものである。記憶部７７には、液体噴射システム１を動作させ、この液体噴射システム１が備える種々の機能を実現するためのプログラムや、このプログラムの実行中に使用されるデータ等が事前に記憶され、或いは処理の都度一時的に記憶される。
【００８６】
また、記憶部７７には、運動量対応テーブル７７１が記憶される。この運動量対応テーブル７７１は、図９を参照して上記した運動量Ｐと立ち上がり周波数（立ち上がり周波数指示値）及び電圧振幅（実施例１では固定）との対応関係を設定したデータテーブルである。
【００８７】
図１２は、運動量対応テーブル７７１のデータ構成例を示す図である。図１２に示すように、運動量対応テーブル７７１には、レバー位置（目盛り）と対応付けて、運動量Ｐと、対応するレバー位置に割り当てられた周波数指示値と、電圧振幅とが設定される。電圧振幅は、全て同じ値Ｖ１とされる。一方、立ち上がり周波数指示値は、隣接するレバー位置間の運動量Ｐの変化量ΔＰ１，ΔＰ２，・・・が一定となるように定められ、その立ち上がり周波数の変化量Δｆ１，Δｆ２，・・・は必ずしも一定とはなっていない。立ち上がり周波数調整レバー７１３が操作された場合には、立ち上がり周波数設定部７５２は、選択されたレバー位置の立ち上がり周波数指示値を運動量対応テーブル７７１から読み出して設定する。
【００８８】
［処理の流れ］
図１３は、パルス液体ジェットの噴射に際して制御部７５が行う処理の流れを示すフローチャートである。図１３に示すように、電源ボタン７１１が操作されて液体噴射制御装置７０−１の電源が投入され、噴射スイッチ７１５によってパルス液体ジェットの噴射開始が指示されると、ポンプ制御部７５６が送液ポンプ２０を駆動し、圧電素子制御部７５１が圧電素子４５を駆動してパルス液体ジェットの噴射を開始する（ステップＳ１１１）。このとき、立ち上がり周波数設定部７５２は、選択中の立ち上がり周波数調整レバー７１３のレバー位置を取得して立ち上がり周波数指示値を運動量対応テーブル７７１から読み出し、立ち上がり周波数を設定する。また、電圧振幅設定部７５３は、固定とされる電圧振幅を運動量対応テーブル７７１から読み出し、電圧振幅を設定する。更に、繰り返し周波数設定部７５４は、選択中の繰り返し周波数設定用レバー７１４のレバー位置を取得して繰り返し周波数を設定する。そして、圧電素子制御部７５１は、設定された立ち上がり周波数及び電圧振幅に従って駆動電圧波形を生成し、生成した駆動電圧波形の駆動信号を圧電素子４５に印加する。
【００８９】
また、運動量表示制御部７５７が、取得したレバー位置の運動量Ｐを運動量対応テーブル７７１から読み出し、ステップＳ１１１で設定された立ち上がり周波数と併せて表示部７３に表示する制御を行う（ステップＳ１１３）。
【００９０】
その後は、制御部７５は、噴射スイッチ７１５の操作によってパルス液体ジェットの噴射を終了すると判定するまでの間（ステップＳ１２３：ＮＯ）、ステップＳ１１５において立ち上がり周波数調整レバー７１３の操作を監視する。そして、立ち上がり周波数調整レバー７１３が操作された場合には（ステップＳ１１５：ＹＥＳ）、立ち上がり周波数設定部７５２が、選択されたレバー位置の周波数指示値を運動量対応テーブル７７１から読み出し、立ち上がり周波数の設定を更新する（ステップＳ１１７）。その後、圧電素子制御部７５１は、ステップＳ１１７で設定された立ち上がり周波数及びステップＳ１１１で設定された電圧振幅に従って駆動電圧波形を生成し、生成した駆動電圧波形の駆動信号を圧電素子４５に印加する（ステップＳ１１９）。
【００９１】
また、運動量表示制御部７５７が、選択されたレバー位置の運動量Ｐを運動量対応テーブル７７１から読み出し、読み出した運動量Ｐと、ステップＳ１１７で設定された立ち上がり周波数とに従って表示部７３の表示を更新する制御を行う（ステップＳ１２１）。図１４は、ステップＳ１１３で表示され、ステップＳ１２１で更新表示される表示画面例を示す図である。この表示画面により、手術中、術者は、液体噴射開口部６１から噴射されるパルス液体ジェットに係る運動量Ｐの現在値や、その制御に用いた立ち上がり周波数の現在値を把握しながら作業することができる。なお、運動量指示値の表示は、図１４に示した数値の表示によって行う場合に限らず、メーター表示によって行ってもよいし、またはパルス液体ジェットの噴射開始からの増減操作に伴う運動量Ｐの変化をグラフ表示することとしてもよい。
【００９２】
また運動量表示制御部７５７は、運動量Ｐおよび立ち上がり周波数の指示値を表示部７３に表示させるだけでなく、繰り返し周波数を表示させても良い。更には、現在の電圧振幅も併せて表示させてもよい。
【００９３】
この実施例１によれば、予め設定される運動量Ｐと立ち上がり周波数及び所定の電圧振幅との対応関係に基づき、操作感覚通りの切削深さ及び切削体積を達成するのに最適な立ち上がり周波数に従って圧電素子４５の駆動電圧波形を制御することができる。例えば、立ち上がり周波数調整レバー７１３を１目盛り動かせば、目盛り間隔に相当する分の運動量Ｐが変化するため、切削深さ及び切削体積をユーザーの感覚・意図に見合った設定とすることができ、使い勝手を向上させることができる。
【００９４】
（実施例２）
次に、実施例２について説明する。実施例１と同様の部分には同一の符号を付す。図１５は、実施例２における液体噴射制御装置の機能構成例を示すブロック図である。図１５に示すように、液体噴射制御装置７０−２は、操作部７１ａと、表示部７３と、制御部７５ａと、記憶部７７ａとを備える。
【００９５】
操作部７１ａは、図１のレバースイッチ８１３によって実現される電圧振幅調整レバー７１６ａを含む。この電圧振幅調整レバー７１６ａは、電圧振幅指示値を入力するためのものである。術者は、電圧振幅調整レバー７１６ａすなわち図１のレバースイッチ８１３を操作し、「１」〜「５」の目盛りが付されたレバー位置を選択して電圧振幅を５段階で増減操作する。実施例２では、各レバー位置の電圧振幅指示値は、対応する目盛りの数値に応じて運動量Ｐが一定量ずつ大きくなるように割り当てられる。
【００９６】
制御部７５ａは、圧電素子制御部７５１ａと、ポンプ制御部７５６と、運動量表示制御部７５７ａとを備える。
【００９７】
圧電素子制御部７５１ａは、立ち上がり周波数を設定する立ち上がり周波数設定部７５２ａと、電圧振幅調整レバー７１６ａのレバー位置に従って電圧振幅を設定する電圧振幅設定部７５３ａと、繰り返し周波数設定用レバー７１４のレバー位置に従って繰り返し周波数を設定する繰り返し周波数設定部７５４ａとを備える。この圧電素子制御部７５１ａは、駆動電圧波形を生成し、生成した波形の駆動信号を圧電素子４５に印加するが、その際、立ち上がり周波数設定部７５２ａが設定した立ち上がり周波数と、電圧振幅設定部７５３ａが設定した電圧振幅とに従って駆動電圧波形を生成する。なお、実施例２では、立ち上がり周波数設定部７５２ａが設定する立ち上がり周波数は固定とされる。
【００９８】
運動量表示制御部７５７ａは、選択中の電圧振幅調整レバー７１６ａのレバー位置に割り当てられた電圧振幅指示値（すなわち電圧振幅の現在値）と、対応する運動量Ｐ（すなわち運動量Ｐの現在値）とを表示部７３に表示する制御を行う。
また運動量表示制御部７５７ａは、運動量Ｐおよび電圧振幅指示値を表示部７３に表示させるだけでなく、繰り返し周波数を表示させても良い。更には、現在の立ち上がり周波数を併せて表示させてもよい。
【００９９】
記憶部７７ａには、運動量対応テーブル７７１ａが記憶される。この運動量対応テーブル７７１ａは、図９を参照して上記した運動量Ｐと立ち上がり周波数（実施例２では固定）及び電圧振幅（電圧振幅指示値）との対応関係を設定したデータテーブルである。
【０１００】
図１６は、運動量対応テーブル７７１ａのデータ構成例を示す図である。図１６に示すように、運動量対応テーブル７７１ａには、レバー位置（目盛り）と対応付けて、運動量Ｐと、対応するレバー位置に割り当てられた電圧振幅指示値と、立ち上がり周波数とが設定される。立ち上がり周波数は、全て同じ値ｆ２とされる。電圧振幅調整レバー７１６ａが操作された場合には、電圧振幅設定部７５３ａは、選択されたレバー位置の電圧振幅指示値を運動量対応テーブル７７１ａから読み出して設定する。なお、図１２の運動量対応テーブル７７１と同様、隣接するレバー位置間の運動量Ｐの変化量（変化幅）は一定であるが、振幅指示値の変化量（変化幅）は必ずしも一定ではない。
【０１０１】
この実施例２によれば、予め設定される運動量Ｐと電圧振幅及び所定の立ち上がり周波数との対応関係に基づき、操作感覚通りの切削深さ及び切削体積を達成するのに最適な電圧振幅に従って圧電素子４５の駆動電圧波形を制御することができる。例えば、電圧振幅調整レバー７１６ａを１目盛り動かせば、目盛り間隔に相当する分の運動量Ｐが変化するため、切削深さ及び切削体積をユーザーの感覚・意図に見合った設定とすることができ、使い勝手を向上させることができる。
【０１０２】
（実施例３）
次に、実施例３について説明する。実施例１と同様の部分には同一の符号を付す。図１７は、実施例３における液体噴射制御装置の機能構成例を示すブロック図である。図１７に示すように、液体噴射制御装置７０−３は、操作部７１ｂと、表示部７３と、制御部７５ｂと、記憶部７７ｂとを備える。
【０１０３】
操作部７１ｂは、図１のレバースイッチ８１３によって実現される立ち上がり周波数調整レバー７１３ｂを含む。この立ち上がり周波数調整レバー７１３ｂは、立ち上がり周波数指示値を入力するためのものである。術者は、立ち上がり周波数調整レバー７１３ｂすなわち図１のレバースイッチ８１３を操作し、「１」〜「５」の目盛りが付されたレバー位置を選択して立ち上がり周波数を５段階で増減操作する。実施例３では、各レバー位置の立ち上がり周波数指示値は、対応する目盛りの数値に応じてエネルギーＥが一定量ずつ大きくなるように割り当てられる。
【０１０４】
制御部７５ｂは、圧電素子制御部７５１ｂと、ポンプ制御部７５６と、エネルギー表示制御部７５８ｂとを備える。
【０１０５】
圧電素子制御部７５１ｂは、立ち上がり周波数調整レバー７１３ｂのレバー位置に従って立ち上がり周波数を設定する立ち上がり周波数設定部７５２ｂと、電圧振幅を設定する電圧振幅設定部７５３ｂと、繰り返し周波数設定用レバー７１４のレバー位置に従って繰り返し周波数を設定する繰り返し周波数設定部７５４ｂとを備える。この圧電素子制御部７５１ｂは、駆動電圧波形を生成し、生成した波形の駆動信号を圧電素子４５に印加するが、その際、立ち上がり周波数設定部７５２ｂが設定した立ち上がり周波数と、電圧振幅設定部７５３ｂが設定した電圧振幅とに従って駆動電圧波形を生成する。なお、実施例３では、電圧振幅設定部７５３ｂが設定する電圧振幅は固定とされる。
【０１０６】
エネルギー表示制御部７５８ｂは、選択中の立ち上がり周波数調整レバー７１３ｂのレバー位置に割り当てられた立ち上がり周波数指示値（すなわち立ち上がり周波数の現在値）と、対応するエネルギーＥ（すなわちエネルギーＥの現在値）とを表示部７３に表示する制御を行う。
またエネルギー表示制御部７５８ｂは、エネルギーＥおよび立ち上がり周波数の指示値を表示部７３に表示させるだけでなく、繰り返し周波数を表示させても良い。更には、現在の電圧振幅を併せて表示させてもよい。
【０１０７】
記憶部７７ｂには、エネルギー対応テーブル７７２ｂが記憶される。このエネルギー対応テーブル７７２ｂは、図１０を参照して上記したエネルギーＥと立ち上がり周波数（周波数指示値）及び電圧振幅（実施例３では固定）との対応関係を設定したデータテーブルである。
【０１０８】
図１８は、エネルギー対応テーブル７７２ｂのデータ構成例を示す図である。図１８に示すように、エネルギー対応テーブル７７２ｂには、レバー位置（目盛り）と対応付けて、エネルギーＥと、対応するレバー位置に割り当てられた立ち上がり周波数指示値と、電圧振幅が設定される。電圧振幅は、全て同じ値Ｖ３とされる。立ち上がり周波数調整レバー７１３ｂが操作された場合には、立ち上がり周波数設定部７５２ｂは、選択されたレバー位置の立ち上がり周波数指示値をエネルギー対応テーブル７７２ｂから読み出して設定する。なお、図１２の運動量対応テーブル７７１と同様、隣接するレバー位置間のエネルギーの変化量（変化幅）は一定であるが、立ち上がり周波数指示値の変化量（変化幅）は必ずしも一定ではない。
【０１０９】
この実施例３によれば、予め設定されるエネルギーＥと立ち上がり周波数及び所定の電圧振幅との対応関係に基づき、操作感覚通りの切削深さ及び切削体積を達成するのに最適な立ち上がり周波数に従って圧電素子４５の駆動電圧波形を制御することができる。例えば、立ち上がり周波数調整レバー７１３ｂを１目盛り動かせば、目盛り間隔に相当する分のエネルギーＥが変化するため、切削深さ及び切削体積をユーザーの感覚・意図に見合った設定とすることができ、使い勝手を向上させることができる。
【０１１０】
（実施例４）
次に、実施例４について説明する。実施例１と同様の部分には同一の符号を付す。図１９は、実施例４における液体噴射制御装置の機能構成例を示すブロック図である。図１９に示すように、液体噴射制御装置７０−４は、操作部７１ｃと、表示部７３と、制御部７５ｃと、記憶部７７ｃとを備える。
【０１１１】
操作部７１ｃは、図１のレバースイッチ８１３によって実現される電圧振幅調整レバー７１６ｃを含む。この電圧振幅調整レバー７１６ｃは、電圧振幅指示値を入力するためのものである。術者は、電圧振幅調整レバー７１６ｃすなわち図１のレバースイッチ８１３を操作し、「１」〜「５」の目盛りが付されたレバー位置を選択して電圧振幅を５段階で増減操作する。実施例４では、各レバー位置の電圧振幅指示値は、対応する目盛りの数値に応じてエネルギーＥが一定量ずつ大きくなるように割り当てられる。
【０１１２】
制御部７５ｃは、圧電素子制御部７５１ｃと、ポンプ制御部７５６と、エネルギー表示制御部７５８ｃとを備える。
【０１１３】
圧電素子制御部７５１ｃは、立ち上がり周波数を設定する立ち上がり周波数設定部７５２ｃと、電圧振幅調整レバー７１６ｃのレバー位置に従って電圧振幅を設定する電圧振幅設定部７５３ｃとを備える。この圧電素子制御部７５１ｃは、駆動電圧波形を生成し、生成した波形の駆動信号を圧電素子４５に印加するが、その際、立ち上がり周波数設定部７５２ｃが設定した立ち上がり周波数と、電圧振幅設定部７５３ｃが設定した電圧振幅とに従って駆動電圧波形を生成する。なお、実施例４では、立ち上がり周波数設定部７５２ｃが設定する立ち上がり周波数は固定とされる。
【０１１４】
エネルギー表示制御部７５８ｃは、選択中の電圧振幅調整レバー７１６ｃのレバー位置に割り当てられた電圧振幅指示値（すなわち電圧振幅の現在値）と、対応するエネルギーＥ（すなわちエネルギーＥの現在値）とを表示部７３に表示する制御を行う。
またエネルギー表示制御部７５８ｃは、エネルギーＥおよび電圧振幅の指示値を表示部７３に表示させるだけでなく、繰り返し周波数を表示させても良い。更には、現在の立ち上げ周波数を併せて表示させてもよい。
【０１１５】
記憶部７７ｃには、エネルギー対応テーブル７７２ｃが記憶される。このエネルギー対応テーブル７７２ｃは、図１０を参照して上記したエネルギーＥと立ち上がり周波数（実施例４では固定）及び電圧振幅（電圧振幅指示値）との対応関係を設定したデータテーブルである。
【０１１６】
図２０は、エネルギー対応テーブル７７２ｃのデータ構成例を示す図である。図２０に示すように、エネルギー対応テーブル７７２ｃには、レバー位置（目盛り）と対応付けて、エネルギーＥと、対応するレバー位置に割り当てられた電圧振幅指示値と、立ち上がり周波数とが設定される。立ち上がり周波数は、全て同じ値ｆ４とされる。電圧振幅調整レバー７１６ｃが操作された場合には、電圧振幅設定部７５３ｃは、選択されたレバー位置の電圧振幅指示値をエネルギー対応テーブル７７２ｃから読み出して設定する。なお、図１２の運動量対応テーブル７７１と同様、隣接するレバー位置間のエネルギーの変化量（変化幅）は一定であるが、電圧振幅指示値の変化量（変化幅）は必ずしも一定ではない。
【０１１７】
この実施例４によれば、予め設定されるエネルギーＥと電圧振幅及び所定の立ち上がり周波数との対応関係に基づき、操作感覚通りの切削深さ及び切削体積を達成するのに最適な電圧振幅に従って圧電素子４５の駆動電圧を制御することができる。例えば、電圧振幅調整レバー７１６ｃを１目盛り動かせば、目盛り間隔に相当する分のエネルギーＥが変化するため、切削深さ及び切削体積をユーザーの感覚・意図に見合った設定とすることができ、使い勝手を向上させることができる。
【０１１８】
以上、４つの実施例を含む実施形態について説明したが、本発明を適用可能な形態は、上記の実施形態に限られない。
例えば、液体噴射装置３０の種類毎に運動量対応テーブル７７１，７７１ａやエネルギー対応テーブル７７２ｂ，７７２ｃを用意しておき（記憶部７７，７７ａ，７７ｂ，７７ｃに記憶させておき）、液体噴射装置３０の種類に応じた運動量対応テーブル７７１やエネルギー対応テーブル７７２等を選択的に用いるようにしてもよい。例えば、液体噴射開口部６１およびノズル６０の内径および長さの違いや、噴射管５０の内径や長さの違い、圧電素子４５の特性の違い、圧力室４４の容積の違い等の、パルス液体ジェットの噴射に関わる構造が異なる液体噴射装置３０の種類毎に用意しておくと好適である。切削対象物、例えば外科手術用の用途に用いる場合であれば患部の部位により、食品加工用の用途に用いる場合であれば食品の種類により、ゲル材料、ゴムやプラスチックなどの樹脂材料の切削加工用途であればそれぞれの材料の種類により、すなわち切削加工する対象素材の形状、破壊閾値、弾性率や粘性率などによって、液体噴射装置３０を種類違いのものに交換する場合があるからである。
【０１１９】
また、液体噴射装置３０に当該装置の種類を示す情報を記憶しておき、液体噴射制御装置７０が、接続された液体噴射装置３０から当該情報を読み出して、運動量対応テーブル７７１，７７１ａやエネルギー対応テーブル７７２ｂ，７７２ｃを自動的に切り替えることとすると更に好適である。
【０１２０】
また、上記の実施形態では、立ち上がり指標値として立ち上がり周波数を例示した。これに対し、立ち上がり周波数に代えて、立ち上がり時間Ｔｐｒを用いるようにしてもよい。
【０１２１】
また、立ち上がり周波数調整レバー７１３，７１３ｂや電圧振幅調整レバー７１６ａ，７１６ｃは、レバースイッチ８１３によって実現する場合に限らず、例えば、ダイヤルスイッチ、ボタンスイッチなどにより実現してもよい。また、表示部７３をタッチパネルとしてソフトウェアによるキースイッチなどにより実現してもよい。この場合、ユーザーは、表示部７３であるタッチパネルをタッチ操作して、立ち上がり周波数や電圧振幅の指示値を入力操作する。
【符号の説明】
【０１２２】
１  液体噴射システム、１０  容器、２０  送液ポンプ、３０  液体噴射装置、４０  パルス流発生部、４４  圧力室、４５  圧電素子、４６  ダイアフラム、５０  噴射管、６０  ノズル、６１  液体噴射開口部、７０，７０−１，７０−２，７０−３，７０−４  液体噴射制御装置、７１，７１ａ，７１ｂ，７１ｃ  操作部、７１３，７１３ｂ  周波数調整レバー、７１６ａ，７１６ｃ  振幅調整レバー、７３  表示部、７５，７５ａ，７５ｂ，７５ｃ  制御部、７５１，７５１ａ，７５１ｂ，７５１ｃ  圧電素子制御部、７５２，７５２ａ，７５２ｂ，７５２ｃ  周波数設定部、７５３，７５３ａ，７５３ｂ，７５３ｃ  振幅設定部、７５６  ポンプ制御部、７５７，７５７ａ  運動量表示制御部、７５８ｂ，７５８ｃ  エネルギー表示制御部、７７，７７ａ  記憶部、７７１，７７１ａ  運動量対応テーブル、７７２ｂ，７７２ｃ  エネルギー対応テーブル
【図１】
2016016284.tif 000006
【図２】
2016016284.tif 000007
【図３】
2016016284.tif 000008
【図４】
2016016284.tif 000009
【図５】
2016016284.tif 000010
【図６】
2016016284.tif 000011
【図７】
2016016284.tif 000012
【図８】
2016016284.tif 000013
【図９】
2016016284.tif 000014
【図１０】
2016016284.tif 000015
【図１１】
2016016284.tif 000016
【図１２】
2016016284.tif 000017
【図１３】
2016016284.tif 000018
【図１４】
2016016284.tif 000019
【図１５】
2016016284.tif 000020
【図１６】
2016016284.tif 000021
【図１７】
2016016284.tif 000022
【図１８】
2016016284.tif 000023
【図１９】
2016016284.tif 000024
【図２０】
2016016284.tif 000025